(57)【特許請求の範囲】
【請求項１】
負荷回路の電源入力端子に接続されるコンデンサへの突入電流を軽減する突入電流軽減回路であって、
前記負荷回路に流れる電流を検出する負荷電流検出回路と、
前記負荷電流検出回路で検出される電流がしきい値を越えたときまたは電流の変化分がしきい値を越えたときにオンするスイッチング素子と、
前記スイッチング素子がオンしたときに前記コンデンサと並列に接続される第２コンデンサと、
を有してなることを特徴とする突入電流軽減回路。
【請求項２】
前記スイッチング素子は、前記負荷電流検出回路で検出される電流がしきい値を越えないときまたは電流の変化分がしきい値を越えないときにはオフするように制御されており、
前記スイッチング素子がオフしたときには、前記第２コンデンサに並列に接続される抵抗分は実質的に無限大となって前記第２コンデンサの充電電荷が維持されるように構成されている、
請求項１記載の突入電流軽減回路。
【請求項３】
前記負荷電流検出回路は、前記負荷回路に含まれる音声出力回路に流れる電流を含んだ電流を検出するものであり、
前記音声出力回路における音声レベルの増大によって電流がしきい値を越えたときに、前記スイッチング素子がオンするように構成されている、
請求項１または２記載の突入電流軽減回路。
【請求項４】
前記負荷電流検出回路は、前記負荷回路に含まれるデューティ比が可変のインバータ回路に流れる電流を含んだ電流を検出するものであり、
前記インバータ回路におけるデューティ比が５０パーセントに近づくことによって電流の変化分がしきい値を越えたときに、前記スイッチング素子がオンするように構成されている、
請求項１または２記載の突入電流軽減回路。
【請求項５】
前記スイッチング素子として、互いに異なる複数のしきい値によってそれぞれ動作する複数のスイッチング素子が設けられており、
それぞれのスイッチング素子について、オンしたときに前記コンデンサと並列に接続される第２コンデンサが設けられている、
請求項１ないし４のいずれかに記載の突入電流軽減回路。
【請求項６】
負荷回路の電源入力端子に接続されるコンデンサへの突入電流を軽減する突入電流軽減回路であって、
前記負荷回路に流れる電流を検出する負荷電流検出抵抗と、
前記負荷電流検出抵抗の両端の電圧が設定値を越えたときにオン信号を出力する比較回路と、
前記比較回路からオン信号が出力されたときにオンするスイッチング素子と、
前記スイッチング素子がオンしたときに前記コンデンサと並列に接続される第２コンデンサと、
を有してなることを特徴とする突入電流軽減回路。
【請求項７】
負荷回路に直流の電流を供給する電源装置であって、
前記負荷回路に供給する電流を安定化するためのコンデンサと、
前記負荷回路に流れる電流を検出する負荷電流検出回路と、
前記負荷電流検出回路で検出される電流がしきい値を越えたときまたは電流の変化分がしきい値を越えたときにオンするスイッチング素子と、
前記スイッチング素子がオンしたときに前記コンデンサと並列に接続される第２コンデンサと、
を有してなることを特徴とする電源装置。
【請求項８】
前記スイッチング素子は、前記負荷電流検出回路で検出される電流がしきい値を越えないときまたは電流の変化分がしきい値を越えないときにはオフするように制御されており、
前記スイッチング素子がオフしたときには、前記第２コンデンサに並列に接続される抵抗分は実質的に無限大となって前記第２コンデンサの充電電荷が維持されるように構成されている、
請求項７記載の電源装置。
【発明の詳細な説明】
【技術分野】
【０００１】
本発明は、負荷回路の電源入力端子に接続されるコンデンサへの突入電流を軽減する突入電流軽減回路および突入電流を低減した電源装置に関する。
【背景技術】
【０００２】
パーソナルコンピュータに接続されるディスプレイ装置は、パーソナルコンピュータとの間で種々の信号の授受を行うとともに、その電源をパーソナルコンピュータから得ている。パーソナルコンピュータがディスプレイ装置に対して供給可能な電流には限りがあるため、その最大値が仕様として決められている。【０００３】
しかし、近年においてパーソナルコンピュータの機能および用途が拡大され、テレビプログラムの受信やＤＶＤ（Digital Versatile Disc）の再生などを本格的な映像と音声によって行うことが求められている。特に、ダイナミックレンジの広い迫力ある音声を再生して音響効果を上げるために、音声出力回路に必要な電流を安定して供給する必要がある。このようなことから、ディスプレイ装置に必要な電流は増える傾向にあり、ディスプレイ装置においても電圧の安定化のためのコンデンサが大容量化される傾向にある。コンデンサの大容量化にともなって、パーソナルコンピュータからディスプレイ装置に流れ込む突入電流が増大する。【０００４】
従来において、負荷回路に流れ込む突入電流を減少させるために、複数のタイマーとスイッチング素子とを用い、分割したコンデンサを時間差を設けて電源ラインに接続することが提案されている（特許文献１）。
【特許文献１】特開２０００−１７５４３８
【発明の開示】
【発明が解決しようとする課題】
【０００５】
上に述べた従来の方法による場合には、コンデンサが分割され、これによって突入電流が分散されることとなり、一応の目的を達することができる。しかし、負荷回路が起動された時点において短時間のうちに全てのスイッチング素子がオンし、全てのコンデンサが電源回路に接続されるので、いずれのコンデンサもフルに負荷のかかった動作状態となる。そのため、全てのコンデンサについてフル稼動を前提にその仕様を選定しなければならず、コストの低減の面からは不利である。仮にコスト低減のためにコンデンサの仕様を下げた場合には、コンデンサの寿命が問題となる。【０００６】
本発明は、上述の問題に鑑みてなされたもので、負荷回路や電源装置におけるコンデンサへの突入電流を低減するとともに、コンデンサの寿命を縮めることなくコスト低減を図ることの可能な突入電流軽減回路および電源装置を提供することを目的とする。
【課題を解決するための手段】
【０００７】
本発明に係る突入電流軽減回路は、負荷回路の電源入力端子に接続されるコンデンサへの突入電流を軽減する突入電流軽減回路であって、前記負荷回路に流れる電流を検出する負荷電流検出回路と、前記負荷電流検出回路で検出される電流がしきい値を越えたときまたは電流の変化分がしきい値を越えたときにオンするスイッチング素子と、前記スイッチング素子がオンしたときに前記コンデンサと並列に接続される第２コンデンサとを有してなる。【０００８】
好ましくは、前記スイッチング素子は、前記負荷電流検出回路で検出される電流がしきい値を越えないときまたは電流の変化分がしきい値を越えないときにはオフするように制御されており、前記スイッチング素子がオフしたときには、前記第２コンデンサに並列に接続される抵抗分は実質的に無限大となって前記第２コンデンサの充電電荷が維持されるように構成されている。【０００９】
また、前記負荷電流検出回路は、前記負荷回路に含まれる音声出力回路に流れる電流を含んだ電流を検出するものであり、前記音声出力回路における音声レベルの増大によって電流がしきい値を越えたときに、前記スイッチング素子がオンするように構成されている。【００１０】
また、前記負荷電流検出回路は、前記負荷回路に含まれるデューティ比が可変のインバータ回路に流れる電流を含んだ電流を検出するものであり、前記インバータ回路におけるデューティ比が５０パーセントに近づくことによって電流の変化分がしきい値を越えたときに、前記スイッチング素子がオンするように構成される。【００１１】
また、前記スイッチング素子として、互いに異なる複数のしきい値によってそれぞれ動作する複数のスイッチング素子が設けられており、それぞれのスイッチング素子について、オンしたときに前記コンデンサと並列に接続される第２コンデンサが設けられている。      【００１２】
本発明に係る他の形態の突入電流軽減回路は、負荷回路の電源入力端子に接続されるコンデンサへの突入電流を軽減する突入電流軽減回路であって、前記負荷回路に流れる電流を検出する負荷電流検出抵抗と、前記負荷電流検出抵抗の両端の電圧が設定値を越えたときにオン信号を出力する比較回路と、前記比較回路からオン信号が出力されたときにオンするスイッチング素子と、前記スイッチング素子がオンしたときに前記コンデンサと並列に接続される第２コンデンサとを有してなる。【００１３】
本発明に係る電源装置は、負荷回路に直流の電流を供給する電源装置であって、前記負荷回路に供給する電流を安定化するためのコンデンサと、前記負荷回路に流れる電流を検出する負荷電流検出回路と、前記負荷電流検出回路で検出される電流がしきい値を越えたときまたは電流の変化分がしきい値を越えたときにオンするスイッチング素子と、前記スイッチング素子がオンしたときに前記コンデンサと並列に接続される第２コンデンサとを有してなる。【００１４】
好ましくは、前記スイッチング素子は、前記負荷電流検出回路で検出される電流がしきい値を越えないときまたは電流の変化分がしきい値を越えないときにはオフするように制御されており、前記スイッチング素子がオフしたときには、前記第２コンデンサに並列に接続される抵抗分は実質的に無限大となって前記第２コンデンサの充電電荷が維持されるように構成される。
【発明の効果】
【００１５】
本発明によると、負荷回路や電源装置におけるコンデンサへの突入電流を低減するとともに、コンデンサの寿命を縮めることなくコスト低減を図ることができる。
【図面の簡単な説明】
【００１６】
【図１】本発明に係る突入電流軽減回路が設けられた電子機器の概略の回路図である。
【図２】突入電流軽減回路の動作の例を示す図である。
【図３】突入電流軽減回路の動作の他の例を示す図である。
【図４】本発明に係る他の例の突入電流軽減回路が設けられた電子機器の回路図である。
【図５】本発明に係る他の例の突入電流軽減回路が設けられた電源装置の回路図である。
【図６】さらに他の例の突入電流軽減回路を示す回路図である。
【発明を実施するための最良の形態】
【００１７】
図１は本発明に係る突入電流軽減回路５が設けられた電子機器ＤＫの概略の回路図、図２は突入電流軽減回路５の動作の例を示す図、図３は突入電流軽減回路５の動作の他の例を示す図である。【００１８】
図１において、電子機器ＤＫの回路には、保護回路１１、検出回路１２、負荷回路１３、スイッチング素子Ｑ１、および２つのコンデンサＣ１，Ｃ２が設けられている。【００１９】
保護回路１１は、電子機器ＤＫの電源ライン（負荷回路１３を含む）Ｌ１に異常があったときに、回路を保護し、または電子機器ＤＫに電源を供給する電源装置を保護するためのものである。保護回路１１は、例えば、電源ラインＬ１に流れる電流ｉを検出し、電流ｉが規定値を越えたときに電源入力端子ＴＭ１と電源ラインＬ１との間を遮断する。また、電源ラインＬ１の電圧ｅを検出し、電圧ｅが設定された範囲から外れたときに同様に回路を遮断する。【００２０】
検出回路１２は、負荷回路１３に流れる電流ｉｄ、または負荷回路１３に流れる電流ｉｄの変化分Δｉｄを検出する。つまり、電流ｉｄがしきい値Ｔｈ１を越えたとき、またはその変化分Δｉｄがしきい値Ｔｈ８を越えたときに、検出信号Ｓ１を出力する。【００２１】
負荷回路１３は、電子機器ＤＫの本来の機能を実現するための電子回路である。例えば、電子機器ＤＫがディスプレイ装置であった場合には、ＬＣＤ、ＰＤＰ、またはＣＲＴなどによる表示を行うための、点灯回路、制御回路、同期回路、調光回路、映像回路、バックライト回路など、スピーカから音声を出力するための音声出力回路、音響効果回路、音質調整回路など、および、リモート操作回路、その他の種々の回路などが、負荷回路１３に含まれる。【００２２】
スイッチング素子Ｑ１は、検出信号Ｓ１がオンしたとき、つまり検出信号Ｓ１が出力されたときに、オンする。つまり、スイッチング素子Ｑ１は、検出回路１２で検出される電流ｉｄがしきい値Ｔｈ１を越えないとき、または電流の変化分Δｉｄがしきい値Ｔｈ８を越えないときには、オフするように制御されている。スイッチング素子Ｑ１のオンによって、コンデンサＣ２が電源ラインＬ１に接続される。スイッチング素子Ｑ１として、例えば、ＭＯＳ型ＦＥＴ、バイポーラトランジスタ、サイリスタ、それらをＩＣ化したもの、または継電器などが用いられる。【００２３】
コンデンサＣ１は、電源ラインＬ１に常時接続されている。つまり、保護回路１１を介して間接的に電源入力端子ＴＭ１に接続されている。コンデンサＣ２は、上に述べたようにスイッチング素子Ｑ１を介して電源ラインＬ１に接続されており、スイッチング素子Ｑ１がオンしたときに、実際に電源ラインＬ１に接続されて稼動状態となる。つまり、スイッチング素子Ｑ１がオフしたときには、コンデンサＣ２に並列に接続される抵抗分は実質的に無限大となっており、その状態においてコンデンサＣ２の充電電荷はほとんどそのまま維持される。【００２４】
これらのコンデンサＣ１，Ｃ２は、電源ラインＬ１における電圧の変動を抑制して電源の安定化を図るものであり、通常、大容量のアルミ電解コンデンサまたはそれに類するものが用いられる。コンデンサＣ１，Ｃ２の容量は、互いに同じであり、例えばそれぞれ５００μＦである。つまり、この場合には、電源の安定化のためのコンデンサＣとして、１０００μＦの容量のものが、２つのコンデンサＣ１，Ｃ２に分割して実装されたこととなる。【００２５】
なお、コンデンサＣ２は、後述するように必要なときにのみ稼動するので、実稼動時間がコンデンサＣ１と比べて少ない。したがって、コンデンサＣ２の仕様はコンデンサＣ１よりも低いものを選定することができる。例えば、コンデンサＣ１に、１０５℃環境で使用可能１０００時間仕様のものを用いた場合に、コンデンサＣ２に、８５℃環境で使用可能１０００時間仕様のものを用いることができる。【００２６】
図１において、検出回路１２、スイッチング素子Ｑ１、およびコンデンサＣ２が、突入電流軽減回路５を構成する。【００２７】
次に、突入電流軽減回路５の動作について説明する。【００２８】
電子機器ＤＫの電源入力端子ＴＭ１を、パーソナルコンピュータなどの適当な機器の電源端子に接続する。図示しない電源スイッチをオンして電子機器ＤＫを動作させる。なお、そのような電源スイッチは、保護回路１１の中に設けて電源入力端子ＴＭ１と電源ラインＬ１との間を接続しまたは遮断するようにしてもよい。また、保護回路１１や負荷回路１３などとは別個に電源スイッチを設けて電子機器ＤＫの機能および動作を制御するようにしてもよい。【００２９】
図２に示すように、電源入力端子ＴＭ１を電源端子に接続し、または電源スイッチをオンした時点ｔ１で、コンデンサＣ１に突入電流ｉｔ１が流れる。突入電流ｉｔ１の大きさは、コンデンサＣ１の容量に依存するので、コンデンサＣ１を５００μＦとすることによって、１０００μＦであった場合と比較して約半分になる。その後、負荷回路１３が通常通りに動作するので、負荷回路１３の動作によってアイドリング電流（負荷電流ｉｄ）が流れる。【００３０】
そこで、例えば音声出力回路が爆発音のような大音響を出力したために電流ｉｄが増大し、その増大した電流ｉｄが検出回路１２によって検出される。検出された電流ｉｄがしきい値Ｔｈ１を越えたときに、検出信号Ｓ１が出力される。【００３１】
検出信号Ｓ１が出力されると、スイッチング素子Ｑ１がオンし、コンデンサＣ２が電源ラインＬ１に接続される。その時点ｔ２において、コンデンサＣ２に突入電流ｉｔ２が流れる。突入電流ｉｔ２の大きさは、コンデンサＣ２の容量に依存するので、コンデンサＣ２を５００μＦとした場合に、コンデンサＣ１の突入電流ｉｔ１と同じか、またはある程度の充電状態からスタートするのでそれよりも少なくなる。【００３２】
負荷回路１３の電流ｉｄがしきい値Ｔｈ１を越えている間において、検出信号Ｓ１が出力され、したがってその間においてスイッチング素子Ｑ１がオンしてコンデンサＣ２が稼動状態となる。電流ｉｄがしきい値Ｔｈ１よりも小さくなると、検出信号Ｓ１がオフし、したがってスイッチング素子Ｑ１がオフしてコンデンサＣ２の接続は解除される。【００３３】
このように、本来において電源ラインＬ１に接続される１つのコンデンサＣに代えて、２つのコンデンサＣ１，Ｃ２に分割し、１つのコンデンサＣ１は常時電源ラインＬ１に接続しておき、他の１つである第２のコンデンサＣ２は電流ｉｄが増大したときに接続されるので、コンデンサＣへの突入電流ｉｔが分散され、これによって突入電流ｉｔのピーク値（瞬間最大値）が半減する。【００３４】
しかも、第２のコンデンサＣ２の突入電流ｉｔ２は、ある程度の充電状態からスタートするので、コンデンサＣ１の突入電流ｉｔ１よりも小さくなる。したがって、コンデンサＣ２の容量をコンデンサＣ１の容量よりも大きくしておくことによって、突入電流ｉｔのピーク値を全体としてさらに低減することが可能である。【００３５】
負荷回路１３が音声出力回路を含んでいる場合には、その音声出力回路に流れる電流を含んだ電流ｉｄが検出回路１２によって検出される。そして、音声出力回路における音声レベルの増大によって、電流ｉｄがしきい値Ｔｈ１を越えたときに、スイッチング素子Ｑ１がオンする。このように、負荷回路１３がある程度以上に動作したときにのみコンデンサＣ２が接続されて稼動状態となり、必要でないときにはコンデンサＣ２は稼動していないので、コンデンサＣ２の実稼動時間が低減され、コンデンサＣ２の寿命が延びる。したがって、コンデンサＣ２の実装コストの低減を図ることができる。【００３６】
また、スイッチング素子Ｑ１が一旦オンした後でオフすると、コンデンサＣ２には電源ラインＬ１の電圧ｅがほとんどそのまま残っているので、次にスイッチング素子Ｑ１がオンしたときには突入電流ｉｔはほとんど流れない。したがって、スイッチング素子Ｑ１によるオンオフが繰り返されることによる実質的なデメリットはない。【００３７】
次に、負荷回路１３として、ＬＣＤなどのバックライト点灯回路を含んでいる場合の動作について説明する。バックライト点灯回路は、発光管にデューティ比が可変の方形波状の電圧を印加することによって点灯させ且つその輝度を調整する。そのために、デューティ比が可変の方形波の電圧を出力するインバータ回路が設けられる。デューティ比が１００パーセントのときに連続した電流が流れ、最大輝度となる。この場合には、電流の変動はなく、したがって電源の安定化を図る必要性は高くないので、コンデンサＣ１のみで十分である。【００３８】
しかし、デューティ比が１００パーセントよりも小さくなると、それにつれて輝度が低下し、電流は断続的となっていく。つまり輝度の調整を行った場合には、電流が断続的となり、これが電流の変動として現れるので、電源の安定化のためにコンデンサＣ２を接続する必要性が高くなる。デューティ比が５０パーセントのときに、電流ｉｄの変化分Δｉｄは最も大きくなる。したがって、デューティ比が５０パーセントに近づくことによって電流の変化分Δｉｄがしきい値Ｔｈ８を越えたときに、それを検出回路１２が検出し、検出信号Ｓ１を出力する。具体的には、デューティ比が５０パーセントである場合を中心として、それよりもαパーセント高いしきい値Ｔｈ８Ｈと、αパーセント低いしきい値Ｔｈ８Ｌとの間にある場合に、「変化分Δｉｄがしきい値Ｔｈ８を越えた」とする。【００３９】
図３に示すように、電源を入れた時点ｔ１で、コンデンサＣ１に突入電流ｉｔ１が流れる。バックライトがデューティ比１００パーセントで点灯した時点ｔ２では、電流ｉｄは多いが（例えば２Ａ程度）、その変化分Δｉｄは０である。時点ｔ３においてデューティ比が５０パーセントとなるように調整したので、しきい値Ｔｈ８Ｈとしきい値Ｔｈ８Ｌとの間となり、変化分Δｉｄがしきい値Ｔｈ８を越えたことになる。そのため、検出信号Ｓ１が出力され、スイッチング素子Ｑ１がオンしてコンデンサＣ２が電源ラインＬ１に接続される。【００４０】
時点ｔ３でデューティ比がさらに小さくなると、変化分Δｉｄはしきい値Ｔｈ８を越えなくなり、検出信号Ｓ１がオフし、コンデンサＣ２の接続が解除される。【００４１】
このように、検出回路１２によって電流ｉｄの変化分Δｉｄを検出し、変化分Δｉｄがしきい値Ｔｈ８を越えたときにスイッチング素子Ｑ１がオンするように制御される。【００４２】
このように制御した場合でも、コンデンサＣへの突入電流ｉｔが小さくなるとともに、電流ｉｄの変化分Δｉｄが大きくなったときにのみコンデンサＣ２が稼動状態となるので、コンデンサＣ２の実稼動時間が低減され、コンデンサＣ２のコスト低減を図ることができる。【００４３】
次に、電子機器ＤＫにおける他の例の突入電流軽減回路５Ｂについて説明する。【００４４】
図４は本発明に係る他の例の突入電流軽減回路５Ｂが設けられた電子機器ＤＫの概略の回路図である。図４において、図１の要素と同じ機能を有する部分については同じ符号を付した。【００４５】
図４において、検出回路１２Ｂとして抵抗Ｒｋが設けられており、ここを流れる電流ｉｄによって両端にＥｋ（＝Ｒｋ×ｉｄ）の電圧降下が生じる。この電圧Ｅｋが所定の大きさ（しきい値Ｔｈ１）を越えたかどうかを、４つの抵抗Ｒ１〜４と演算増幅器Ｑ１１とからなる差動増幅回路によって判定する。電流ｉｄがしきい値Ｔｈ１を越えた場合には、演算増幅器Ｑ１１の出力（検出信号）Ｓ１が「Ｈ」になり、しきい値Ｔｈ１以下の場合には演算増幅器Ｑ１１の出力が「Ｌ」になる。検出信号Ｓ１に応じてスイッチング素子Ｑ１がオンオフし、コンデンサＣ２が電源ラインＬ１に接続されまたは解除される。【００４６】
図４に示す突入電流軽減回路５Ｂによる場合には、簡単な構成によって電流ｉｄを検出し、その大きさがしきい値Ｔｈ１を越えるか否かを判定することができる。【００４７】
次に、突入電流軽減回路５Ｃが設けられた電源装置１の例について説明する。【００４８】
図５は本発明に係る他の例の突入電流軽減回路５Ｃが設けられた電源装置１の回路図である。【００４９】
図５において、電源装置１は、保護回路２１、ＡＣ／ＤＣ変換器２２、および突入電流軽減回路５Ｃを有する。【００５０】
保護回路２１は、電源装置１に異常があったときに回路を保護するためのものである。保護回路２１は、過電流遮断器、フューズなどである。電源スイッチを含んでいてもよい。【００５１】
ＡＣ／ＤＣ変換器２２は、入力されたＡＣ１００ボルトまたはＡＣ２００ボルトなどの交流電圧を所定の直流電圧（例えば、５ボルト、９ボルト、１２ボルトなど）に変換する。ＡＣ／ＤＣ変換器２２として、電源トランスおよび整流器を用いたもの、またはインバータ回路を用いたものなど、種々の公知のものを採用することができる。【００５２】
コンデンサＣ１，Ｃ２は、電源の安定化のためのものであり、リプルを低減するための平滑コンデンサを兼ねる。直流出力端子に負荷となる適当な電子機器を接続し、電源装置１に交流電圧を供給すると、最初にはコンデンサＣ１に突入電流が流れる。負荷に流れる電流ｉｄがしきい値Ｔｈ１以下である場合には、検出回路２３は検出信号Ｓ１を出力せず、したがってスイッチング素子Ｑ１はオフであってコンデンサＣ２は電源ラインＬ１に接続されない。負荷に流れる電流ｉｄがしきい値Ｔｈ１を越えたときに、検出回路２３は検出信号Ｓ１を出力し、スイッチング素子Ｑ１がオンしてコンデンサＣ２が電源ラインＬ１に接続される。このときに、コンデンサＣ２に突入電流が流れる。【００５３】
この電源装置１においても、コンデンサＣが２つのコンデンサＣ１，Ｃ２に分割されており、第２のコンデンサＣ２は電流ｉｄが増大したときのみに接続されるので、コンデンサへの突入電流が分散され、ピーク値が半減する。しかも、コンデンサＣ２の実稼動時間が低減される。【００５４】
次に、さらに他の例の突入電流軽減回路５Ｄについて説明する。【００５５】
図６はさらに他の例の突入電流軽減回路５Ｄを示す回路図である。【００５６】
図６に示す突入電流軽減回路５Ｄでは、コンデンサＣをそれぞれ３分の１の容量の３つのコンデンサＣ１，Ｃ２，Ｃ３に分割する。１つのコンデンサＣ１は常時電源ラインＬ１に接続しておく。第２のコンデンサＣ２は電流ｉｄがしきい値Ｔｈ１を越えたときに接続され、第３のコンデンサＣ３は電流ｉｄがしきい値Ｔｈ２（Ｔｈ２＞Ｔｈ１）を越えたときに接続される。【００５７】
つまり、電源がオンになった時点ではコンデンサＣ１に突入電流が流れ、その後、電流ｉｄが増大して第１のしきい値Ｔｈ１を越えたときに第２のコンデンサＣ２に突入電流が流れ、さらに電流ｉｄが増大して第２のしきい値Ｔｈ２を越えたときに第３のコンデンサＣ３に突入電流が流れる。【００５８】
このように、コンデンサＣへの突入電流が３回に分けて分散され、これによって突入電流のピーク値をさらに低減することができる。【００５９】
コンデンサＣをさらに分割し、突入電流を４回、５回、６回、または７回以上に分散させてもよい。【００６０】
上に述べた実施形態において、スイッチング素子が一旦オンしたときにその状態を維持するように構成することも可能である。このようにした場合には、それぞれのコンデンサＣを接続するタイミングを、電流ｉｄがしきい値Ｔｈ１まで増大するまで延ばす結果となる。【００６１】
その他、保護回路１１、検出回路１２、負荷回路１３、突入電流軽減回路５，５Ｂ，５Ｃ，５Ｄ、および電源装置１の全体または各部の回路構成または回路定数、コンデンサやスイッチング素子の種類や仕様などは、本発明の趣旨に沿って適宜変更することができる。
【産業上の利用可能性】
【００６２】
本発明は、コンピュータ本体から電源の供給を受けるディスプレイ装置などにおいて、コンデンサによる突入電流を低減するために利用され、また、電源装置としても利用可能である。
【図１】
0004662992.tif 000002
【図２】
0004662992.tif 000003
【図３】
0004662992.tif 000004
【図４】
0004662992.tif 000005
【図５】
0004662992.tif 000006
【図６】
0004662992.tif 000007